(57)【要約】      （修正有）【課題】プロジェクタ装置において、照明のない暗い環境下で映像光の投影を行っている際に装置に対して操作を行う場合、操作手段の操作部の読取りが使用環境に依らず容易に確実に行うことができることを目的とする。【解決手段】 所望の映像光を生成する映像光出力手段３と、装置の制御を行うための信号を出力し、装置の機能の操作を行う操作手段６を備え、操作手段６の各操作対象項目に対してそれぞれ操作部が備えられ、それらそれぞれの操作部は第１の押圧操作を行うと抵抗Ｒａを介した電流が流れて、映像光出力手段３から操作対象項目の内容が表示されるための操作信号が生成・出力され、第２の操作を行うと抵抗Ｒａと抵抗Ｒｂの並列の抵抗を介した電流が流れて、操作対象項目の内容が実行されるように構成した。【選択図】図２
2006267608.tif 000002
【特許請求の範囲】
【請求項１】
所望の映像光を生成する映像光出力手段と、装置の制御を行うための信号を出力し、装置の機能の操作を行う操作手段が備えられてなるプロジェクタ装置において、
上記操作手段は、各操作対象項目に対してそれぞれ操作部が備えられ、且つ、それらそれぞれの操作部は第１の操作が行われるとその操作対象項目の内容が上記映像光出力手段によって映像光として出力され、第２の操作が行われるとその操作対象項目の内容が実行されるように構成されてなるプロジェクタ装置。
【請求項２】
操作手段の各操作部への第１の操作と第２の操作の間の時間が設定した一定時間を越えた際には、第２の操作が第１の操作に置換わるように構成してなる請求項１に記載のプロジェクタ装置。
【請求項３】
第２の操作によって出力される操作対象項目の内容を示す映像光が、画面上で任意の位置で且つ任意の大きさで映し出させるように設定可能な構成である請求項１に記載のプロジェクタ装置。
【発明の詳細な説明】
【技術分野】
【０００１】
この発明は、ホームシアター等で使用されるプロジェクタ装置に関し、特に、光源からの光を所望のデータに基づいて対応する映像光として投影する装置本体と、その装置本体の機能を制御するコントロール手段が備えられてなるプロジェクタ装置に関する。
ここで、コントロール手段は、装置本体に組込まれたタイプ、装置本体と別体でリモート式に機能させるタイプ、装置本体に着脱可能であって所望によって使い分けるタイプが挙げられる。
【背景技術】
【０００２】
プロジェクタ装置は、その機能上、暗室で使用するものである。
つまり、プロジェクタ装置は、作動開始までは電灯等によって照明のある状態の下で必要な操作を行うことが可能である。
しかしながら、プロジェクタ装置を作動している際は、映像の明るさを確保するために照明のある状態は好ましくない。よって、プロジェクタ装置を作動している際に、当該プロジェクタ装置をコントロール手段を介して制御する場合、明るくない分、コントロール手段の操作がし難かったり、間違った操作を行うという問題があった。
斯かる問題を解決するためのものとして、例えば、下記に示す文献が知られている。
【０００３】
【特許文献１】特開平５−２９１９６６号公報
【発明の開示】
【発明が解決しようとする課題】
【０００４】
上記公報は、リモート式に機能させるタイプの制御手段であって、照明のない状態の下で操作が可能なように、操作キーや表示板を照明するライトが内蔵されており、斯かる構成によって操作の際に照明を得ながら、操作を行うものである。
他方、操作部に蓄光性の塗料を塗布して、操作に明りが与えられた状態を得る構成の制御手段も知られている。
【０００５】
照明のない状態の下で制御手段の操作を行うということに対して、上記公報で開示された技術、或いは、操作部に蓄光性の塗料を塗布してなる制御手段は、プロジェクタ装置が機能しているつまり照明のない状態であっても、制御手段の操作部を見て取ることは可能である。
【０００６】
しかしながら、実際に照明のない暗室の状態で映像を観賞している際は、スクリーン上の映像の持つ明るさに目が慣れている。
従って、制御手段の制御部が明るさを持っていても、制御手段の明るさとスクリーン上の映像の明るさに大きな程度の差がある場合には、直に制御手段の操作部を見て取れないという問題がある。
【０００７】
殊に、制御手段が装置本体と一体化している場合或いは装置本体に装着している場合では、本来は制御手段の操作部が操作者の視線に対して垂直或いは垂直に近い状態であればその操作部の読取りがし易いのだが、その操作部が必ずしも読み取り易い位置や姿勢にあるとは限らず、問題はより一層深刻であった。
【０００８】
他方、プロジェクタ装置はホームシアター用の映画等を楽しむことが多く、その分、制御手段に対しては操作が簡便で確実であることが要求されている。
【０００９】
この発明は、上記の事情を鑑みてなされたものであり、照明のない暗室の環境下で映像光の投影を行っている際に制御手段の操作を行う場合、操作手段の操作部の読取りが使用環境に依らずに容易に確実に行うことができ、よって、投影機能中の制御手段の操作が簡便で確実であるプロジェタ装置を提供するものである。
【課題を解決するための手段】
【００１０】
この発明は、制御手段が複数個の操作部を有し、各操作部は第１の操作を行うとその操作の内容を映像光に出力して映像として映出し、第２の操作を行うとその操作部に対応する内容の機能が出力されるように構成したプロジェクタ装置である。
【００１１】
その詳細な構成は、所望の映像光を生成する映像光出力手段と、装置の制御を行うための信号を出力し、装置の機能の操作を行う操作手段が備えられてなるプロジェクタ装置において、前記操作手段は、各操作対象項目に対してそれぞれ操作部が備えられ、且つ、それらそれぞれの操作部は第１の操作が行われるとその操作対象項目の内容が前記映像光出力手段によって映像光として出力され、第２の操作が行われるとその操作対象項目の内容が実行されるように構成されてなるプロジェクタ装置である。
【００１２】
この発明のプロジェクタ装置は、斯かる構成によって、操作者は照明のない状態であっても、操作部への第１の操作で自分が操作した操作部の内容を知ることができ、その内容に基づいて、自分が操作することを希望する内容の操作部を見付け出して操作を行うことが可能になる。
【００１３】
又、この発明のプロジェクタ装置において、操作手段の各操作部への第１の操作と第２の操作の間の時間が設定した一定時間を越えた際には、第２の操作が第１の操作に置換わるように構成される機能が挙げられる。
この発明のプロジェクタ装置は、斯かる構成により、ある操作部に対して第１の操作から設定した一定時間以上を経過した後に、第１の操作を行ったことを忘れて不用意に第２の操作を行ったり、第１の操作によって映像光で示された操作内容が意図したものでない場合に誤って同一の操作部を操作しても、２度目の操作か第２の操作とならず第１の操作として機能するので、意図していない操作が実行されることがない。
【００１４】
加えて、この発明のプロジェクタ装置は、第１の操作によって出力される操作対象項目（操作の内容）を示す映像光が、映像（画面）上で任意の位置で且つ任意の大きさで映し出させるように設定可能な構成であるものが挙げられる。
又、この発明のプロジェクタ装置の操作手段による操作の内容は、具体的に、主電源のＯＮ／ＯＦＦ、画質の調整項目、映像データの入力端子の選択、スクリーン上での映像の倍率等が挙げられる。
【発明の効果】
【００１５】
この発明は、操作手段の各操作部が第１の操作を行うとその操作の内容を映像光として出力し、第２の操作を行うとその操作の内容が実行されるように構成したことにより、照明のない環境下において装置の機能を操作しようと操作手段の任意の操作部に第１の操作を行うと、その操作された操作部に対応する操作内容が映像光として出力されてスクリーン上に投影中の映像となって現れるので、操作者は映像で示された操作内容から自分が望んでいる操作内容の操作部を選択して第２の操作を行って、当該望んでいる操作内容の機能を出力させることが可能で、照明のない環境下で任意の操作を行うことができるプロジェクタ装置である。
【００１６】
又、操作手段に照明手段を備えて操作時にその照明手段を出力させて操作を行うという構成に比べて、照明手段が不要である分操作手段の構成が簡便であり、操作手段が前記照明手段によって操作部を見て取れてもスクリーン上の映像の明るさに目が慣れているのでその分操作内容の読取りがし易く、更には、スクリーン上の映像のみを見るだけで操作内容を知ることが可能で操作手段に目を移して読取る必要がないという効果も得られている。
【発明を実施するための最良の形態】
【００１７】
この発明を、図面と共に以下に詳述する実施例に基づいて説明する。しかし、この実施例によって、この発明が限定されるものではない。
プロジェクタ装置１は、図１に示すように、ケーシング２と、映像光出力手段３と、レンズ群４と、制御手段５及び操作手段６が備えられている。
ケーシング２は、装置本体を構成するものであって、前面のほぼ中央部にレンズ群４からの映像用の光を通過させるための開口部７が開設されている。
【００１８】
映像光出力手段３は、制御手段５と、光源８と、分光器９と、デジタルマイクロミラーデバイス手段１０，１１，１２（以下、「ＤＭＤ手段」と称する）と、映像データ出力手段１３と、制御手段５及び集光器１４を備えて構成され、投影光をスクリーン上において所望の映像が得られる映像光となるように加工して出力するものである。
光源８は、映像光を作るための白色光を出力するものであり、その出力のＯＮ−ＯＦＦは制御手段５によって制御される構成になっている。
【００１９】
分光器９は、光源８から白色光を入力し、その入力した白色光を複数の原色光、つまり具体的には赤色（Ｒ）、緑色（Ｇ）及び青色（Ｂ）の三色に分光して出力するものである。
ＤＭＤ手段１０，１１，１２はそれぞれ、制御手段５からのドライブ信号に基づき、分光器９からの赤色（Ｒ）、緑色（Ｇ）及び青色（Ｂ）の原色光を受けて、所定の映像を構成するための光を集光器１４に反射光を送るものである。
【００２０】
映像データ出力手段１３は、映像に係る映像用データが蓄積されており、制御手段５からのリクエスト信号に応じて、映像用データ信号を出力するものである。
つまり、制御手段５が映像データ出力手段１３に所望の映像用データをリクエストすると、映像データ信号手段１３はリクエストされた映像用データを制御手段５に送る。ここで、制御手段５はそのリクエストした映像用データを信号で受取り、その映像用データ信号に基づいてＤＭＤ手段１０，１１，１２の反射光送り作用の機能を制御させて、投影用の光を反射させるように機能する構成になっている。
【００２１】
集光器１４は、ＤＭＤ手段１０，１１，１２からそれぞれ赤色（Ｒ）、緑色（Ｇ）及び青色（Ｂ）の反射の光を受取ると映像用の一纏まりの映像光に構成し、且つ、その一纏まりの映像光をレンズ群４に送るためのものである。
レンズ群４は、複数枚のレンズから構成され、映像光出力手段３からの映像用の光を透過し、スクリーン上で所望倍率の映像が得られるように機能するものである。
レンズ群４は、構成する各レンズが所定順で且つ所定間隔をおいて、筒体１５に保持されている。
【００２２】
操作手段６は、所謂リモートコントロール手段であって、制御手段５を遠隔的に操作するものである。
操作手段６の操作内容は具体的に、主電源のＯＮ／ＯＦＦ（「ＰＯＷＥＲ」で表示）、画質の調整項目（「ＭＥＮＵ」で表示）、映像データの入力端子の選択（「ＣＯＭＰＯＮＥＮＴ」と表示）、スクリーン上での映像の倍率（「ＺＯＯＭ」と表示）等である。
【００２３】
又、操作手段６の各操作部は具体的に、押圧することによって接点間が導通してＯＦＦからＯＮに切換わる釦スイッチである。
そして、更に具体的に、この釦スイッチは、図２に示すように、２個の接点が備えられており、第１の押圧操作を行うと第１の接点であるスイッチＳＷａがＯＦＦからＯＮになって、抵抗Ｒａを介した第１の電流が操作信号出力の側に流れる。
続いて、第２の押圧操作を行うと、スイッチＳＷａがＯＮである状態に加えて、第２の接点であるＳＷｂがＯＦＦからＯＮに切換わって、抵抗Ｒａと抵抗Ｒｂの並列の抵抗を介した第２の電流が操作信号出力の側に流れる構成になっている。
【００２４】
更に、操作手段６は、上記の第１の電流及び第２の電流にそれぞれ対応して、内容の異なる操作のため２種類の信号を制御手段５に送る構成になっている。
他方、制御手段５は、操作手段６から上記第１の押圧操作、つまり、ＳＷａがＯＮであることに対応する信号を受取ると、その信号に対応してメモリ（図示省略）からその信号の制御項目を示すデータを読出し、且つ、その制御項目を映像として映し出すように映像光出力手段３に出力制御を行う。
又、制御手段５は、操作手段６から上記第２の押圧操作、つまり、ＳＷａ及びＳＷｂが共にＯＮであることに対応する信号を受取ると、この信号に対応して釦スイッチであるその操作部が表示している機能を出力させる制御を行うように構成されている。
【００２５】
プロジェクタ装置１は、上述したように構成されている。以下において、プロジェクタ装置１の使用を説明する。
操作者は、プロジェクタ装置１をスクリーン（図示省略）に対して位置決め設置し、電源コードを電源に差込み、映像データ出力手段１３に映像データが蓄えられていることを確認する。
次に、操作者は操作手段６に、各操作部に第１の操作を行った際にその操作対象項目が
映像上でどの位置に且つどの程度の大きさで映し出されるかを設定する。
ここで、操作手段６であるリモートコントロール手段の上記ＰＯＷＥＲに対応する操作部を表示する釦スイッチを目視によってその位置を確認し、電灯照明をＯＦＦにする。
【００２６】
操作者は、プロジェクタ装置１が設置された部屋内は照明がなくなって暗くなるが、操作手段６の上記ＰＯＷＥＲの表示の釦スイッチを押圧操作し、続いて第２の押圧操作を行う。
ここで、操作手段６は、上記ＰＯＷＥＲの表示の釦スイッチへの第１の押圧操作によって、つまり、図２に示すようにスイッチＳＷａがＯＦＦからＯＮに切換わって、抵抗Ｒａを介した第１の電流が操作信号出力の側に送られる。
【００２７】
続いて、上記ＰＯＷＥＲの表示の釦スイッチの第２の押圧操作を行うとスイッチＳＷｂがＯＦＦからＯＮになって、つまり、図２に示すようにスイッチＳＷａ及びスイッチＳＷｂが共にＯＮになって、抵抗Ｒａと抵抗Ｒｂの並列の抵抗を介した第２の電流が操作信号出力の側に送られる。
ここで、操作手段６の信号生成部（図示省略）は前記第２の電流を受取ると、ＰＯＷＥＲを出力するための操作信号を制御手段５に送る。
【００２８】
制御手段６は、ＰＯＷＥＲを出力するための操作信号を受取ると、プロジェクタ装置１に電力が供給されるように出力する。
ここで、プロジェクタ装置１は、映像光を出力して映像動作を開始する。
【００２９】
プロジェクタ装置１が映像機能を奏している際に、操作者が映像の画質の調節をしたいと思い、照明がなく暗い環境下に居るで試しに、操作手段６で映像の倍率を切換える調節を行う「ＺＯＯＭ」に対応する操作部と思われる釦スイッチを１回だけ押圧操作する。
しかしながら、この時に操作された操作部、つまり、押圧操作された釦スイッチが例えば「ＣＯＭＰＯＮＥＮＴ」の釦スイッチである場合には、図２に示すと同様に、「ＣＯＭＰＯＮＥＮＴ」の機能の出力についてスイッチＳＷａがＯＮとなって、信号発信の側に抵抗Ｒａを介した電流が送られる。
【００３０】
ここで、この第１への釦スイッチの押圧操作によって、操作手段６の上記信号生成部は抵抗Ｒａを介した電流を受取り、この電流に基づいて画像に「ＣＯＭＰＯＮＥＮＴ」の表示を行うための操作信号を生成して制御手段５に送る。
制御手段５は、操作手段６から「ＣＯＭＰＯＮＥＮＴ」の表示を行うための操作信号を受取ると、映像上に「ＣＯＭＰＯＮＥＮＴ」の表示を行うための制御信号を映像光出力手段３に送る。
【００３１】
映像光出力手段３は、制御手段５からの上記信号に基づいて、上述の設定した映像上の所定位置に且つ所定の文字サイズで、例えば、映像の左上端に映像全体に対して２％の大きさで「ＣＯＭＰＯＮＥＮＴ」の映像表示を行う。
ここで、操作者は、映像の表示から自分が操作した操作部、つまり、押圧操作した釦スイッチが「ＺＯＯＭ」の釦スイッチではなく「ＣＯＮＰＯＮＥＮＴ」の釦スイッチであることを知る。
【００３２】
よって、今押圧操作した釦スイッチである「ＣＯＮＰＯＮＥＮＴ」の釦スイッチ（操作部）の相対位置に基づいて、「ＺＯＯＭ」に対応する操作部（釦スイッチ）の位置を探し出して、その探し出した操作部に操作を行う。
ここで、操作者が操作手段６の「ＺＯＯＭ」に対応する操作部、つまり、釦スイッチに第１の押圧操作を行うと、「ＣＯＭＰＯＮＥＮＴ」を操作した場合と同様に、操作手段６の上記信号生成部は「ＺＯＯＭ」に係るＳＷから抵抗Ｒａを介した電流を受取り、画像に「ＺＯＯＭ」の表示を行うための操作信号を生成して制御手段５に送る。
【００３３】
制御手段５は、操作手段６から「ＺＯＯＭ」の映像表示を行うための操作信号に基づいて、映像上に「ＺＯＯＭ」の表示を行うための制御信号を映像光出力手段３に送る。
映像光出力手段３は制御手段５から前記の制御信号に基づいて、映像に「ＺＯＯＭ」を表示するための映像信号を出力し、結果的に、画像の左上端に「ＺＯＯＭ」の映像が表示される。
【００３４】
ここで、操作者は、上記の「ＺＯＯＭ」の映像の表示から、今回操作手段６で選択した操作部（釦スイッチ）が間違いなく自分が操作したい「ＺＯＯＭ」に対応する釦スイッチであることを知り、その釦スイッチ（操作部）を続けて押圧操作、つまり、第２の押圧操作を行う。
操作手段６は、この第２の押圧操作によって、つまり、図２においてスイッチＳＷａ及びスイッチＳＷｂが押圧操作されたことになって抵抗Ｒａと抵抗Ｒｂの並列の抵抗を介した第２の電流が操作信号出力の側に流れる。
【００３５】
操作手段６は、上記信号生成部が「ＺＯＯＭ」に係る第２の押圧操作による抵抗Ｒａと抵抗Ｒｂの並列の抵抗を介した第２の電流に基づく信号を受取ると、「ＺＯＯＭ」に係る操作を行うための信号を生成して制御手段５に送る。
制御手段５は、操作手段６から「ＺＯＯＭ」の操作を行うための信号を受取ると、「ＺＯＯＭ」の制御を行う制御信号を映像光出力手段３に送る。
【００３６】
ここで、映像光出力手段３は、制御手段５から「ＺＯＯＭ」の操作を行う制御信号を受取って、映像の倍率を切換える調節を行い、この倍率調節に対応する映像光を出力する。  映像光出力手段３からの倍率が調整された映像光は、スクリーンに到って操作者が操作手段６で設定した倍率の映像として表示される。
【００３７】
操作者は、操作手段６で上記の「ＺＯＯＭ」の操作を終えた後、例えば「ＭＥＮＵ」に対応する操作部の釦スイッチを気付かずに誤って押圧操作することがある。
この押圧操作によって、つまり、「ＭＥＮＵ」に係る釦スイッチに第１の押圧操作を行って、映像には「ＭＥＮＵ」の映像が表示される。しかしながら、操作者はこの表示に気付かずに居る。
その後暫くして、操作者は再び「ＭＥＮＵ」に対応する操作部の釦スイッチを気付かずに誤って押圧操作する場合があったとする。
【００３８】
ここで、操作手段６の「ＭＥＮＵ」に対応する操作部の釦スイッチが合計で２回の押圧操作されたことになる。しかしながら、１回目の押圧操作から２回目の押圧操作の間の時間が設定した一定時間より長いので、操作手段６に対して２回目の押圧操作は第２の押圧操作として作用せず、第１の押圧操作として作用する。
従って、操作手段６から制御手段５には「ＭＥＮＵ」の表示を行うための操作信号が出力され、制御手段５は映像光出力手段３に映像光に「ＭＥＮＵ」の表示を行う制御信号を出力し、スクリーン上の映像の所定の位置に所定のサイズで「ＭＥＮＵ」と表示されるのみであって、「ＭＥＮＵ」の操作が行われることはない。
【００３９】
プロジェクタ装置１は、上述したように、この操作者が操作部６を操作する際、照明のない暗い環境下であっても操作手段６の各操作部は第１の押圧操作を行うことによって、それに対応する操作内容が映像光として出力されてスクリーン上に投影中の映像となって現れるので、自分が任意に押圧操作した操作部の操作内容を知ることができ、この任意に押圧操作した操作部から相対位置に基づいて自分が望んでいる操作内容の操作部を探し出し、第２の操作を行うことによって、当該望んでいる操作内容の機能を出力させることが可能になっている。
【００４０】
又、従来技術で示されているように、操作手段６に照明手段を備えて操作時にその照明手段を出力させて操作を行うという構成が考えられる。しかし、斯かる構成に比して、照明手段が不要であり、その分構成が簡便であり照明手段による電力消費がない分内蔵電池の使用時間が長くなり得る。
更に、プロジェクタ装置１は、操作手段６はその時点で見ているスクリーンから操作の内容を見て取るので、照明手段によって照らされた操作部から操作部を見て取るよりも明るさに目が慣れているので操作内容の読取りがし易くなっている。
加えて、プロジェクタ装置１は、スクリーン上の映像のみを見るだけで操作内容を知ることが可能であり、操作手段６に目を移して操作内容を読取る必要がない。
【００４１】
プロジェクタ装置１は、操作手段６がリモートコントロール式であって装置本体であるケーシング２と別体の構成になっているが、ケーシング２に着脱可能な構成でもよく、ケーシング２に一体の構成であってもよい。
何れの構成であっても、上述した効果が得られる。
【００４２】
又、プロジェクタ装置１は、操作手段６から制御手段５に操作信号を出力した際に、制御手段５が操作手段６に操作信号を受取った旨を折り返して知らせる信号を出力し、操作手段６に付設したランプ（図示省略）を点灯させる機能が備えられている。
斯かる機能によって、照明のある環境下でプロジェクタ装置１を使用する際に、操作手段６に第１の押圧操作をしても使用環境が明るくて映像に表示される操作の内容が読取れなくても、上記ランプの点灯によって操作手段６から制御手段５に操作信号が正常に出力されていることが判る。
【００４３】
プロジェクタ装置１は、映像光出力手段３がＤＭＤ手段１０，１１，１２を備えた構成になっているが、液晶表示方式のもの等であってもよい。
【図面の簡単な説明】
【００４４】
【図１】この発明の実施の形態例の構成を、ブロックを用いて説明する構成説明図である。
【図２】図１に示す形態例の操作手段の信号生成の構成を説明する要部回路図である。
【符号の説明】
【００４５】
１                  ：プロジェクタ装置
２                  ：ケーシング
３                  ：映像光出力手段
４                  ：レンズ群
５                  ：制御手段
６                  ：操作手段
８                  ：光源
９                  ：分光器
１０，１１，１２    ：デジタルマイクロミラーデバイス手段（ＤＭＤ手段）
１４                ：集光器
【図１】
2006267608.tif 000003
【図２】
2006267608.tif 000004